(57)【特許請求の範囲】
【請求項１】
天面に開口部(12b)を形成した製氷機本体(12)の内部上方に製氷機構部(24)を備え、前記天面開口部(12b)を上内板(46,90)および天板(44,92)で覆蓋するようにした製氷機において、
前記上内板(46,90)の所要位置に形成され、前記製氷機構部(24)の構成部材(48)が整合するセット孔(50a)を有するセット部(50)と、
前記セット部(50)に上方から係合し、前記構成部材(48)に形成した係合孔(56)に整合する通孔(54)に挿通した係合部材(58)をセット孔(50a)を介して係合孔(56)に係合することで、前記上内板(46,90)を構成部材(48)に着脱自在に固定する固定部材(52)とからなり、
前記天面開口部(12b)にセットした前記上内板(46,90)の上方から固定部材(52)をセット部(50)にセットし、前記係合部材(58)を前記通孔(54)とセット孔(50a)に挿通して前記係合孔(56)に係合することで、該上内板(46,90)を前記天面開口部(12b)を覆蓋した状態で構成部材(48)に固定し、該上内板(46,90)を上方から覆蓋しながら前記天板(44,92)を装着することで、前記製氷機本体(12)の上部に天板(44,92)を取付けるよう構成した
ことを特徴とする製氷機における製氷機構部の防護構造。
【請求項２】
前記セット部(50)には、セット孔(50a)を挟む両側に前記固定部材(52)の厚みより深い凹部(50b)が夫々形成され、また固定部材(52)は、前記凹部(50b,50b)に上方から係合する端部(52b,52b)と、両端部(52b,52b)の間でセット孔(50a)に整合すると共に前記通孔(54)が形成された端部(52b,52b)より下方に突出する突出部(52a)とが一体的に形成され、前記凹部(50b,50b)に端部(52b,52b)を上方から係合した状態で、前記突出部(52a)の通孔(54)に挿通した前記係合部材(58)の頭部(58a)が前記上内板(46,90)の上面から突出しないよう構成した請求項１記載の製氷機における製氷機構部の防護構造。
【請求項３】
前記製氷機本体(12)の前面に形成された前面開口部(12a)を略全面的に覆蓋するよう本体(12)に係合部材(64)を介して着脱自在に固定される前内板(60)を備え、この前内板(60)には、前面開口部(12a)を覆蓋するフロントパネル(66)の端縁部(68a)が係脱可能に係合する保持片(60a)が形成され、該フロントパネル(66)は前内板(60)の保持片(60a)を介して製氷機本体(12)の前面に前内板(60)を覆うように着脱自在に取付けられる請求項１または２記載の製氷機における製氷機構部の防護構造。
【発明の詳細な説明】
【０００１】
【発明の属する技術分野】
この発明は製氷機における製氷機構部の防護構造に関し、更に詳細には、製氷機の内部に配設した製氷機構部に容易に手を触れ得ない構造として、安全性の向上を図った製氷機構部の防護構造に関するものである。
【０００２】
【従来の技術】
例えば立方体形状の角氷を製造するための製氷機では、その製氷方式により分類すると、密閉形セル噴射式、開放形セル噴射式および流水式プレートアイス式の３タイプに大別される。これら各タイプの製氷機では、その基本的な構成として、略箱形に形成された製氷機本体内に貯氷庫と機械室が画成され、この機械室内には冷凍装置を構成する凝縮器，圧縮機，脱水器およびファンモータ等の基礎部品や電装盤等が配設されている。また、前記貯氷庫の内部上方には前述した何れかのタイプの製氷機構部が配設され、前記冷凍装置の製氷運転時に該製氷機構部で製造された角氷を、除氷運転時に落下放出させて貯氷庫内で一時的にストックするようになっている。
【０００３】
図１１は、密閉形セル噴射式の製氷機における本体上部を概略で示した分解斜視図であって、製氷機本体１２に内部画成した貯氷庫１８の内部上方の空間１８ａに、密閉形セル噴射式の製氷機構部２４が配設されている。また製氷機本体１２は、前記貯氷庫１８の天面および前面に開口部を有する箱体として形成したものを例示してあり、天面開口部１２ｂに矩形状の上内板４６をセットすると共に、この上内板４６を覆蓋する天板４４を上方からセットして両側からネジ８０で固定することにより、これら上内板４６および天板４４は製氷機本体１２に着脱可能に取着される。このように、前記天板４４を製氷機本体１２に対してネジ８０で固定して容易に動き得ないよう構成したことにより、▲１▼天板４４が外れて前記製氷機構部２４が簡単に露出することがない、▲２▼鼠やゴキブリ等の害虫が天板４４の隙間から製氷機本体１２内に侵入することを防止する、▲３▼天板４４のずれによる断熱性能，断熱効率の低下を防止する、等の利点がある。また、製氷機本体１２における前面開口部１２ａの前側には、横長矩形状のフロントパネル６６がフック(図示せず)およびネジ８１等で着脱可能に取着され、前記天板４４と共に製氷機構部２４を覆蓋するようになっている。
【０００４】
また、天板４４とフロントパネル６６の取着形態に関しては、図１１に示した天板４４とフロントパネル６６とを別々に製氷機本体１２に取着する形態の他に、図１２および図１３に示す如く、天板４４の前端下縁に成形した係合片７４とフロントパネル６６の上端縁に成形した係合片７８とを係合して両部材４４,６６を連結し、これら天板４４とフロントパネル６６とを一体的に製氷機本体１２に取着する形態がある。すなわち図１２に示す取着形態では、天板４４の後端縁に形成した係着孔８２を製氷機本体１２の後面上部に配設したフック状の係着片８４に係着してから、フロントパネル６６の下端縁を製氷機本体１２にネジ８６で固定するようにしたものである。また図１３に示す製氷機では、フロントパネル６６を製氷機本体１２の天面まで延出させ、天板４４の後端縁を製氷機本体１２の後端上縁に単に係合させた状態で、該フロントパネル６６の下端縁を製氷機本体１２にネジ８６で固定するようにしたものである。このように、天板４４の前端下縁に成形した係合片７４と、フロントパネル６６の上端縁に成形した係合片７８とを係合させた状態で製氷機本体１２に取着してあるので、該天板４４がずれ動くことなく好適に固定される構造となっている。
【０００５】
【発明が解決しようとする課題】
ところで、図１１に示した天板４４の両側をネジ止めするタイプの製氷機では、冷蔵庫や食器棚あるいは壁等に隣接して該製氷機を設置して使用に供されている適時に、貯氷庫１８内の製氷機構部２４の点検や整備等を行なう際には、前記ネジ８０を取外すための工具を使用し得るスペースを確保する必要がある。従って、両側に隣接する各種機器を一時的に退ける必要があるが、それが不可能な場合には製氷機を前方へ引出してからネジ８０の取外し作業を行なわざるを得ず、メンテナンス性が悪い欠点を内在している。また、上内板４６は製氷機本体１２に固定されておらず、前記天板４４を製氷機本体１２から取外すと該上内板４６が容易にずれ動いて内部の製氷機構部２４が露出してしまうから、機構等をよく知らない使用者が内部へ手を入れて製氷機構部２４に触り得る構造となっており、この時に該製氷機構部２４が作動して手を挾まれたり電気配線で感電する等の不慮の事故を未然に防止する考慮がなされていなかった。更には、天板４４を取着する前記ネジ８０が製氷機の側面外部に露出しているから、見栄えが悪くなる欠点も指摘される。
【０００６】
また、図１２および図１３に示した天板４４とフロントパネル６６とを係合して一体的に取着するタイプの製氷機では、天板４４を好適に固定し得る利点があるとしても、該天板４４とフロントパネル６６とを係合するための曲折加工や接合部品を別途必要とする上にこれら部材４４,６６を組付ける作業工程が増えるから、組立てに時間が掛かると共に製作コストが嵩む欠点がある。しかも天板４４とフロントパネル６６がＬ字状に連結しているので、製氷機本体１２に対する両部材４４,６６の着脱には相当な熟練を要し、未熟練者が容易に着脱作業を行なうことができない欠点を内在している。そして、天板４４とフロントパネル６６とが一体的に取外されるから、前面開口部１２ａおよび天面開口部１２ｂが大きく開放されて製氷機構部２４が完全に露出してしまい、前述した如く安全性の面で大きな問題がある。更には、フロントパネル６６を固定する前記ネジ８６が製氷機の前面外部に露出しているから、見栄えが悪くなる欠点も指摘される。
【０００７】
【発明の目的】
この発明は、前述した欠点に鑑み、これを好適に解決するべく提案されたものであって、天板またはフロントパネルを製氷機本体から取外しても内部に配設された製氷機構部が露出しないようにして安全性の向上を図ると共に、天板またはフロントパネルを製氷機本体に固定するネジ等を外部へ露出しないようにして見栄えを良くした製氷機における製氷機構部の防護構造を提供することを目的とする。
【０００８】
【課題を解決するための手段】
前記課題を克服し、所期の目的を好適に達成するため、本発明に係る製氷機における製氷機構部の防護構造は、
天面に開口部を形成した製氷機本体の内部上方に製氷機構部を備え、前記天面開口部を上内板および天板で覆蓋するようにした製氷機において、
前記上内板の所要位置に形成され、前記製氷機構部の構成部材が整合するセット孔を有するセット部と、
前記セット部に上方から係合し、前記構成部材に形成した係合孔に整合する通孔に挿通した係合部材をセット孔を介して係合孔に係合することで、前記上内板を構成部材に着脱自在に固定する固定部材とからなり、
前記天面開口部にセットした前記上内板の上方から固定部材をセット部にセットし、前記係合部材を前記通孔とセット孔に挿通して前記係合孔に係合することで、該上内板を前記天面開口部を覆蓋した状態で構成部材に固定し、該上内板を上方から覆蓋しながら前記天板を装着することで、前記製氷機本体の上部に天板を取付けるよう構成したことを特徴とする。
【０００９】
【発明の実施の形態】
次に、本発明に係る製氷機における製氷機構部の防護構造につき、好適な実施例を挙げて、添付図面を参照しながら以下説明する。なお、従来の技術において説明した部材と同一部材については、同一の符号を付して説明する。
【００１０】
【第１実施例】
図４は、本発明の第１実施例に係る製氷機構部の防護構造が実施される製氷機１０の概略斜視図であり、製氷機本体１２は上方および前方に開口部を有する略箱形に形成され、この本体１２の外面はステンレス鋼板製のキャビネット１４で囲繞されている。また製氷機本体１２の内部上方には、例えば樹脂製の内張り１６が施されて貯氷庫１８が画成され、前記キャビネット１４と内張り１６との間に断熱用ウレタン発泡材１９が充填されている(図２参照)。また製氷機本体１２の内部下方は機械室２０として、冷凍装置を構成する凝縮器，圧縦機，脱水器およびファンモータ(何れも図示せず)等の基礎部品が配設されていると共に、電気回路素子を実装した電装盤(図示せず)が配設されている。また、製氷機本体１２の前面開口部１２ａは前記貯氷庫１８と連通しており、この前面開口部１２ａの下端縁に枢支された扉２２で該貯氷庫１８を開閉自在に閉成するようになっている。
【００１１】
第１実施例では、前述した３タイプの製氷方式のうちの密閉形セル噴射式による製氷機１０を例示しており、図１および図３に示す如く、貯氷庫１８の上部に画成された空間１８ａに密閉形セル噴射式の製氷機構部２４が配設されている。この製氷機構部２４は、図１および図２に示す如く、多数の小室が画成されて下方に開口する製氷室２６と、この製氷室２６の下方に配設され前記小室の夫々に対応する製氷水噴射孔が穿設された水皿２８と、この水皿２８に一体的に設けた製氷タンク３０と、このタンク３０中に貯留した製氷水を前記水皿２８から噴射して製氷室２６の各小室に循環供給するポンプモータ３２とから基本的に構成されている。そして前記水皿２８は、軸支部３４に傾動自在に片持支持され、図示のギャードモータ３６、バネ部材３８、支工腕カム４０の相互作用下に、製氷室２６に対して傾動開放および閉成可能になっている。また、この製氷機構部２４を構成する前記各部材は、製氷機本体１２の上端に架設された機構部枠４２に支持されている。なお、前記密閉形セル噴射式の製氷機構部２４による製氷工程および除氷工程に係る動作等に関しては、本発明の要旨ではないので詳細な説明は省略する。
【００１２】
(上内板について)
第１実施例に係る製氷機構部の防護構造では、製氷機本体１２の天面開口部１２ｂにセットして天板４４に結露することを防止する矩形状の上内板４６が、前記機構部枠４２に前記ギャードモータ３６を固定する保持金具(構成部材)４８を利用して製氷機本体１２に固定セットされるようになっている。すなわち上内板４６の所定位置には、矩形状のセット孔５０ａと該セット孔５０ａの両側に連設した凹部５０ｂ,５０ｂとからなるセット部５０が形成してあり、該上内板４６を天面開口部１２ｂに適切な姿勢で位置決めセットすると、前記保持金具４８とセット孔５０ａとが好適に整合するようになっている。そして、この上内板４６の上方から前記セット部５０に整合する固定板(固定部材)５２をセットし、該固定板５２に開設した通孔５４と前記保持金具４８に開設したネジ孔(係合孔)５６間にネジ(係合部材)５８を締付けることにより、上内板４６は天面開口部１２ｂを覆蓋した状態でずれ動き不能に製氷機本体１２に固定される。なお、上内板４６は適宜断熱材により形成され、前記貯氷庫１８を保温する断熱板として機能する。
【００１３】
前記固定板５２は、所要厚みの板材の長手方向の中央部を下方へ折曲して突出させた突出部５２ａと、該突出部５２ａの両側に位置する端部５２ｂ,５２ｂとから構成され、突出部５２ａに通孔５４が形成されている。そして、前記セット部５０に対して固定板５２は、突出部５２ａがセット孔５０ａに整合すると共に、両端部５２ｂ,５２ｂが凹部５０ｂ,５０ｂに上方から係合するようセットされるよう構成してある。またセット部５０における凹部５０ｂ,５０ｂの深さ寸法は、固定板５２の厚みより大きく設定され、前記端部５２ｂ,５２ｂの上面が上内板４６の上面から突出しないようになっている。更に、前記突出部５２ａは両端部５２ｂ,５２ｂより下方に突出しているから、図２に示す如く、前記通孔５４ａに挿通されたネジ５８の頭部５８ａが上内板４６の上面から突出して天板４４と干渉することもない。
【００１４】
(天板について)
前記天板４４は、前記固定板５２とネジ５８の締付けによって製氷機本体１２の天面開口部１２ｂに固定された上内板４６に対し、該上内板４６を上方から覆蓋しながら装着するようになっている。この天板４４は、図１および図３に示す如く、下方に開口部４４ａを有する逆トレー状に成形されており、前端下部に係止片４４ｂが一体的に成形されている。すなわち天板４４は、先ずこの係止片４４ｂを上内板４６における製氷機本体１２の前方に延出する前方延出部４６ａに係止させ、この状態で後方側を上方から押圧するだけで該上内板４６に装着セットし得るようになっている。
【００１５】
(前内板について)
前記製氷機本体１２の前面開口部１２ａにおいて、横方向に架設したアングル部材６２から上方の開口部分(前記製氷機構部２４が配設された空間１８ａに対応した部分)には、該開口部分を略全面的に覆蓋する大きさの前内板６０が、両側壁６３,６３の前面に複数のネジ(係合部材)６４で固定されている。この前内板６０は、後述するフロントパネル６６を製氷機本体１２から取外した際に、製氷機構部２４が配設された前記空間１８ａ内へ手が入らないようにガードし、該機構部２４に直接手を触れることを防止するべく機能する。また前内板６０の下端縁には、前方に延出した後に上方へ延出するよう折曲された保持片６０ａが一体的に成形され、フロントパネル６６に一体的に組付けられたマイコンケース６８の下端縁(端縁部)６８ａが係合するようになっている。
【００１６】
(フロントパネルについて)
前記製氷機本体１２の前面に取付けられるフロントパネル６６は、ステンレス鋼板を所定形状に曲折成形したもので、マイコン(図示せず)およびタッチスイッチ７０等を内蔵または配設した樹脂製の前記マイコンケース６８の上方に係合され、これら両部材６６,６８は一体的に組付けられている。また図５および図６に示す如く、フロントパネル６６における前記側壁６３,６３と対応する位置には、小径部の下方に大径部を形成した掛止孔６６ａ,６６ａが開設されている。また製氷機本体１２の両側壁６３,６３には、図３に示すように、前記上内板４６の前方延出部４６ａで覆われる前面に、前記掛止孔６６ａ,６６ａが掛止される掛止ピン７２,７２が水平前方へ延出するよう配設されている。そして、前記各掛止ピン７２に掛止孔６６ａの大径部を整合させてフロントパネル６６を側壁前面に密着させ、この状態で該パネル６６を下方へスライドさせれば、該掛止ピン７２に掛止孔６６ａの小径部が掛止されると共に、前記マイコンケース６８の下端縁６８ａが前内板６０の保持片６０ａに係合し、フロントパネル６６は前内板６０を覆蓋した状態で製氷機本体１２に装着されるようになっている。
【００１７】
【第１実施例の作用】
次に、第１実施例に係る製氷機における製氷機構部の防護構造の作用につき説明する。
【００１８】
(前内板およびフロントパネルの取付け)
先ず図５および図６に示す如く、製氷機本体１２における前面開口部１２ａに対し、前内板６０をセットしてネジ６４を締付けることにより、該前面開口部１２ａを覆蓋した状態で前内板６０が製氷機本体１２に固定される。そして、製氷機本体１２の掛止ピン７２,７２にフロントパネル６６の掛止孔６６ａ,６６ａを整合させて該フロントパネル６６を側壁６３,６３の前面に密着させ、この状態で下方へスライドさせることにより、掛止ピン７２と掛止孔６６ａとが掛止されると共にマイコンケース６８の下端縁６８ａと前内板６０の係合片６０ａが係合し、フロントパネル６６は前内板６０を覆蓋した状態で製氷機本体１２に装着される。すなわち、フロントパネル６６の装着に際してネジは使用されず、また前記前内板６０を取着するためのネジ６４が該パネル６６で隠されるから、ネジが製氷機１０の外部へ露出して見栄えが悪くなることもない。
【００１９】
(上内板および天板の取付け)
また図７に示す如く、製氷機本体１２における天面開口部１２ｂに対し、上内板４６をセットしてギャードモータ３６の保持金具４８とセット孔５０ａとを整合させ、またセット部５０に対し固定板５２を上方からセットする。そして、固定板５２の通孔５４と保持金具４８のネジ孔５６との間にネジ５８を締付けることにより、上内板４６は天面開口部１２ｂを覆蓋した状態で製氷機本体１２に固定される。更に天板４４は、図８に示す如く、先ず係止片４４ｂを上内板４６の前方延出部４６ａに係止させ、次に該天板４４の後方側を上方から押圧することで該断熱板４６に装着セットされる。すなわち、天板４４の装着に際してネジは使用されないから、ネジが製氷機１０の外部へ露出して見栄えが悪くなることもない。また前記フロントパネル６６を装着するための掛止ピン７２,７２は、図３に示すように上内板４６の前方延出部４６ａで覆われるから、該掛止ピン７２,７２が外部に突出して見栄えが悪くなることもない。
【００２０】
(天板および上内板の取外し)
前記天板４４は、上内板４６に対して単に嵌合してあるだけなので、該天板４４の後方側を上方へ引上げ、係止片４４ａと延出部４６ａとの係止を解除するだけで取外すことができる。そして、この天板４４を取外したとしても、前記上内板４６は固定板５２により天面開口部１２ｂを覆蓋した状態で製氷機本体１２に固定されているから、該天面開口部１２ｂから空間１８ａ内へ手を入れることはできず、安全性を確保し得る。また、製氷機構部２４のメンテナンスに際して上内板４６を取外す際には、製氷機本体１２の上方から所定の工具により前記ネジ５８を取外すことができ、製氷機１０の両側方に壁や冷蔵庫等が隣接していても、該上内板４６を容易に取外して製氷機構部２４を露出することが可能であり、メンテナンス作業に支障を来たすこともない。
【００２１】
(フロントパネルの取外し)
前記フロントパネル６６は、製氷機本体１２に取着された状態から上方へ引上げることにより、マイコンケース６８の下端縁６８ａと前内板６０の保持片６０ａとの係合が解除され、次いで製氷機１０の前方へ引出すことにより、掛止ピン７２と掛止孔６６ａとの掛止が解除されて前面開口部１２ａから取外される。そして、このフロントパネル６６を取外したとしても、前記前内板６０が前面開口部１２ａを覆蓋した状態で固定されているから、該前面開口部１２ａから前記空間１８ａ内へ不用意に手を入れるのを阻止し得る。
【００２２】
【第２実施例】
図９は、本発明の第２実施例に係る製氷機構部の防護構造を示す製氷機の要部側断面図である。なお、第２実施例に係る製氷機１１は、製氷機本体１２や製氷機構部２４等の構成は、前記第１実施例の製氷機１０と基本的に同一であるから、同一の部材に対しては同一符号を付して説明は省略する。
【００２３】
(上内板について)
第２実施例に係る製氷機構部の防護構造において、上内板９０の製氷機本体１２に対する固定構造は第１実施例と同様であって、製氷機本体１２の天面開口部１２ｂにセットした上内板９０は、前記セット部５０にセットした固定板５２を前記保持金具４８にネジ５８を介して固定することで製氷機本体１２に取付けられるようになっている。そして、この上内板９０は、その前端部が製氷機本体１２の前端に一致するように設定され、第１実施例の如く前方へ延出するようには形成されていない。なお、上内板９０は適宜断熱材により形成され、前記貯氷庫１８を保温する断熱板として機能する。
【００２４】
(天板について)
前記天板９２は、前記固定板５２とネジ５８の締付けによって製氷機本体１２の天面開口部１２ｂに固定された上内板９０に対し、該上内板９０を上方から覆蓋して装着するようになっている。この天板９２は、上内板９０の外形寸法と同一の開口寸法に設定された下方に開口部９２ａを有する逆トレー状に成形されており、その前端下部に上方へ折曲された係止片９４が一体的に成形されている。そして天板９２は、上内板９０に対して上方から嵌合するだけで、該上内板９０を覆蓋した状態に装着される。なお、天板９２は単に上内板９０に嵌合されるだけであるから、このままでは該天板９２は上内板９０から容易に離脱し得る状態となっている。また天板９２の前端面には、後述のフロントパネル１０２に形成した掛止孔１０２ａと係合する掛止ピン９６が、水平前方へ突出した状態に配設されている。
【００２５】
（前内板について)
第２実施例の前内板９８は、前面開口部１２ａにおける上方の開口部分を略全面的に覆蓋するものであり、その下端は製氷機本体１２の両側壁６３,６３間に架設したアングル部材６２に対し複数のネジ６４で固定される。また、前内板９８の上端縁には、後方へ曲折した係止片１００が成形してあり、前面開口部１２ａの所定位置に装着する際に、該係止片１００を前記天板９２の係止片９４に係止するよう構成してある。従って、これら係止片９４,１００が互いに係止した状態で前内板９８が前面開口部１２ａに固定されるから、天板９２の前側が上方へ移動するのは規制され、これにより該天板９２は上内板９０から容易に離脱し得ない状態に保持される。
【００２６】
(フロントパネルについて)
前記製氷機本体１２の前面に取付けられるフロントパネル１０２は、ステンレス鋼板を所定形状に曲折成形したもので、裏側上端部の所定位置に小径部と該小径部の下方に大径部を形成した掛止孔１０２ａが開設され、前記天板９２に配設した掛止ピン９６にこの掛止孔１０２ａを掛止することで、該フロントパネル１０２の上部が製氷機本体１２に固定される。また、フロントパネル１０２の下端部には、前記前内板９８の下端に係着するフック(図示せず)が形成されており、該パネル１０２の下部を製氷機本体１２に対して押圧することにより、フロントパネル１０２は製氷機本体１２に係着される。
【００２７】
【第２実施例の作用】
次に、第２実施例に係る製氷機における製氷機構部の防護構造の作用につき説明する。
【００２８】
(上内板および天板の取付け)
先ず、製氷機本体１２における天面開口部１２ｂに対し、上内板９０をセットしてギャードモータ３６の保持金具４８とセット孔５０ａとを整合させ、またセット部５０に対し固定板５２をセットする。そして、固定板５２の通孔５４と保持金具４８のネジ孔５６との間にネジ５８を締付けることにより、上内板９０が天面開口部１２ｂを覆蓋した状態で製氷機本体１２に固定される。更に天板９２は、製氷機本体１２に固定された前記上内板９０に対し、上方から嵌合するだけで容易にセットされる。
【００２９】
(前内板およびフロントパネルの取付け)
次に図１０に示す如く、製氷機本体１２における前面開口部１２ａに対し、前記天板９２の係止片９４に係止片１００を係止した状態で前内板９８を位置決めセットし、該前内板９８の下端をネジ６４を介してアングル部材６２に固定する。これにより、前面開口部１２ａを覆蓋した状態で前内板９８が製氷機本体１２に固定される。この状態で、前内板９８の係止片１００と天板９２の係止片９４とが係止して該天板９２の前側が上方へ移動するのが規制されるから、天板９２は上内板９０から容易に離脱しなくなる。そして、天板９２の掛止ピン９６にフロントパネル１０２の掛止孔１０２ａを掛止した後、更にフロントパネル１０２の下方を本体１２側へ押圧することによりフックが前内板９８に係止され、このフックと前記掛止ピン９６とによりフロントパネル１０２は製氷機本体１２に好適に装着される。この場合に、前記前内板９８を固定するネジ６４やフロントパネル１０２を装着するための掛止ピン９６は、図９に示すようにフロントパネル１０２自体で覆われるから、該ネジ６４や掛止ピン９６が外部に突出して見栄えが悪くなることはない。
【００３０】
(フロントパネルの取外し)
前記フロントパネル１０２は、製氷機本体１２に装着された状態から該パネル１０２の下部を手前へ引張ることによりフックと前内板９８との係止が解除され、次いでパネル１０２の上部を手前へ引張ることにより、掛止ピン９６と掛止孔１０２ａとの掛止が解除されて前面開口部１２ａから取外される。そして、このフロントパネル１０２を取外したとしても、前面開口部１２ａを覆蓋した状態で前記前内板９８が取着されているから、該前面開口部１２ａから空間１８ａへ不用意に手を入れるのを阻止することができる。
【００３１】
(天板および上内板の取外し)
前記天板９２は、前記前内板９８を製氷機本体１２から取外した後に、上方へ引き上げることで簡単に取外すことができる。そして、この天板９２を取外したとしても、前記上内板９０は固定板５２により天面開口部１２ｂを覆蓋した状態で製氷機本体１２に固定されており、該天面開口部１２ｂから空間１８ａへ手を入れることはできない。また、製氷機構部２４のメンテナンスに際して上内板９０を取外す際には、製氷機本体１２の上方から所定の工具により前記ネジ５８を取外すことができ、製氷機１１の両側方に壁や冷蔵庫等が隣接していても、該上内板９０を容易に取外して製氷機構部２４を露出することが可能であり、メンテナンス作業に支障を来たすこともない。
【００３２】
【発明の効果】
以上説明した如く、本発明に係る製氷機における製氷機構部の防護構造では、天面開口部を覆蓋する上内板を製氷機本体の内部上方に配設される製氷機構部の構成部材に係合部材で固定するよう構成した。従って、この製氷機構部の防護構造によれば、天面開口部に装着される天板を製氷機本体から取外したとしても、前記上内板が製氷機構部を覆蓋しているので該製氷機構部に直接的に手で触れることができず、手を挾まれたり電気配線で感電する等の不慮の事故を未然に防止し得る利点がある。また、天板はネジを一切使用せずに製氷機本体に装着するようになっているから、ネジが製氷機の外部に露出することはなく見栄えが悪くなることもない。また上内板は上方から係合部材で固定されるものであるから、製氷機の両側方に壁や冷蔵庫等が隣接していても、該製氷機を移動させることなく上内板を着脱することができ、メンテナンス作業を簡単かつ短時間で行ない得る利点を有する。
【００３３】
また製氷機本体の前面開口部に前内板を係合部材で固定した状態で、フロントパネルを本体に取付けるよう構成したので、フロントパネルを製氷機本体から取外したとしても、前記前内板が製氷機構部を覆蓋しているので該製氷機構部に直接的に手で触れることができず、手を挾まれたり電気配線で感電する等の不慮の事故を未然に防止し得る。更に、フロントパネルはネジを一切使用せずに製氷機本体に装着し得るようになっているから、ネジが製氷機の外部に露出して見栄えが悪くなることはない。しかも、天板とフロントパネルとが別々に構成されており、これら各部材を製氷機に対して容易に着脱し得るから、未熟練者でも着脱作業を行ない得る等の利点もある。
【図面の簡単な説明】
【図１】  本発明の第１実施例に係る製氷機における製氷機構部の防護構造を概略で示す分解斜視図である。
【図２】  上内板を製氷機本体に固定するための保持金具および固定板を一部破断して示す要部縦断正面図である。
【図３】  製氷機の内部上方に配設した製氷機構部を示す縦断側面図である。
【図４】  製氷機の概略斜視図である。
【図５】  製氷機本体の前面開口部に対してフロントパネルを装着する状態を示す説明図である。
【図６】  製氷機の前面開口部に装着するフロントパネルを示す正面図である。
【図７】  製氷機本体の天面開口部に対して上内板を取付ける状態を示す説明図である。
【図８】  製氷機本体の前面開口部に取付けた上内板に対して天板を装着する状態を示す説明図である。
【図９】  本発明の第２実施例に係る製氷機における製氷機構部の防護構造を概略で示す分解斜視図である。
【図１０】  第２実施例の製氷機における前面開口部にフロントパネルを装着する状態を示す説明図である。
【図１１】  従来の製氷機における製氷機本体の前面開口部および天面開口部に取着されるフロントパネル,上内板および天板の取着形態例を示す分解斜視図である。
【図１２】  従来の製氷機における製氷機本体の前面開口部および天面開口部に組付けられるフロントパネル,上内板および天板の別取着形態例を示す縦断側面図である。
【図１３】  従来の製氷機における製氷機本体の前面開口部および天面開口部に組付けられるフロントパネル,上内板および天板の更に別の取着形態例を示す縦断側面図である。
【符号の説明】
１２  製氷機本体                  １２ａ  前面開口部
１２ｂ  天面開口部                ２４  製氷機構部
４６,９０  上内板                 ４４,９２  天板
４８  構成部材(保持金具)          ５０  セット部
５０ａ  セット孔                  ５０ｂ  凹部
５２  固定部材(固定板)            ５２ａ  突出部
５２ｂ  端部                      ５４  通孔
５６  係合孔(ネジ孔)              ５８  係合部材(ネジ)
５８ａ  頭部                      ６０  前内板
６０ａ  保持片                    ６４  係合部材(ネジ)
６６  フロントパネル              ６８ａ  端縁部(下端縁)
【図１】
0003649561.tif 000002
【図２】
0003649561.tif 000003
【図３】
0003649561.tif 000004
【図４】
0003649561.tif 000005
【図５】
0003649561.tif 000006
【図６】
0003649561.tif 000007
【図７】
0003649561.tif 000008
【図８】
0003649561.tif 000009
【図９】
0003649561.tif 000010
【図１０】
0003649561.tif 000011
【図１１】
0003649561.tif 000012
【図１２】
0003649561.tif 000013
【図１３】
0003649561.tif 000014